(57)【要約】【課題】本発明は構造が簡単で、製造し易く且つ伸縮自在な入力ペンを提供することを目的とする。【解決手段】本発明の入力ペンは、相対する２つの側壁にそれぞれ１つのスライド溝が開設されている中空のガイドロッドと、前記ガイドロッド内にスライド可能に設置される筆芯部と、前記筆芯部の一端に装着されるスライドピンと、を備えてなる。前記スライド溝の両端には、それぞれ１つの係止部が設置され、前記係止部は前記スライド溝に連通する１つのロック穴を有する。前記スライドピンは、前記スライド溝内にスライド可能に設置され、且つ前記ロック穴内に着脱可能に係止される。【選択図】図１
2011127755.tif 000002
【特許請求の範囲】
【請求項１】
相対する２つの側壁にそれぞれ１つのスライド溝が開設されている中空のガイドロッドと、
前記ガイドロッド内にスライド可能に設置される筆芯部と、
前記筆芯部の一端に装着されるスライドピンと、
を備えてなる入力ペンであって、
前記スライド溝の両端には、それぞれ１つの係止部が設置され、前記係止部は前記スライド溝に連通する１つのロック穴を有し、前記スライドピンは前記スライド溝内にスライド可能に設置され、且つ前記ロック穴内に着脱可能に係止されることを特徴とする入力ペン。
【請求項２】
前記係止部は少なくとも１つの弾性壁をさらに備えることを特徴とする請求項１に記載の入力ペン。
【請求項３】
前記係止部は、前記スライド溝に連通し且つ前記弾性壁の周囲に位置し、前記弾性壁の拡張のための空間を提供するＵ字型溝又はＬ字型溝をさらに備えることを特徴とする請求項２に記載の入力ペン。
【請求項４】
前記係止部は、前記スライド溝と前記ロック穴との間に位置するガイド溝をさらに備えることを特徴とする請求項３に記載の入力ペン。
【請求項５】
前記入力ペンは、前記ガイドロッドに被せて、且つ１つの位置決めピンを介して前記スライドロッドと一体に固設される筆立て部をさらに備えることを特徴とする請求項１に記載の入力ペン。
【発明の詳細な説明】
【技術分野】
【０００１】
本発明は、入力ペン、特に携帯電子装置に用いられる入力ペンに関するものである。
【背景技術】
【０００２】
電子技術の発展に伴って、携帯電話、個人用携帯情報端末（ＰＤＡ）などの携帯式電子装置は殆んどタッチパネルを採用する。これらの携帯式電子装置は、一般的に入力ペンを入力手段とする。
【０００３】
従来の入力ペンは、通常携帯電子装置の内部に内蔵されており、使用する場合は、入力ペンを前記携帯電子装置の蓋体から抜き出す。しかし、携帯電子装置の蓋体の長さが短いため、それに挿入される入力ペンも短く設計しなければならない。従って、入力ペンの長さは制限されて、利用者に不便をもたらした。以上の問題を解決するために、長く伸長できる入力ペンが設計されたが、それらの入力ペンは構造が複雑で、製造し難い。
【発明の概要】
【発明が解決しようとする課題】
【０００４】
本発明は、以上の問題点を鑑みてなされたものであって、構造が簡単で、製造し易く且つ伸縮自在な入力ペンを提供することを目的とする。
【課題を解決するための手段】
【０００５】
前記課題を解決するために、本発明に係る入力ペンは、相対する２つの側壁にそれぞれ１つのスライド溝が開設されている中空のガイドロッドと、前記ガイドロッド内にスライド可能に設置される筆芯部と、前記筆芯部の一端に装着されるスライドピンと、を備えてなる。前記スライド溝の両端には、それぞれ１つの係止部が設置され、前記係止部は前記スライド溝に連通する１つのロック穴を有する。前記スライドピンは、前記スライド溝内にスライド可能に設置され、且つ前記ロック穴内に着脱可能に係止される。
【発明の効果】
【０００６】
本発明の入力ペンは、ただ筆立て部、ガイドロッド、筆芯部及びキャップだけを備えるばかりでなく、各部材の構造が全て簡単であるため、前記入力ペンを製造し易い。また、前記入力ペンのガイドロッドは前記筆立て部内に固定されており、前記筆芯部は前記ガイドロッドの側壁に開設されたガイド溝に沿ってスライドできるため、前記筆芯部は筆立て部に対して長く伸長できる。使用する場合、前記キャップを引っ張ると、前記入力ペンが長く伸長されて使用でき、本発明の入力ペンは操作し易い。
【図面の簡単な説明】
【０００７】
【図１】本発明の実施例に係る入力ペンの立体分解図である。
【図２】図１に示す入力ペンの組立図である。
【図３】図２に示す入力ペンはキャップが取り外された時の図である。
【図４】図２に示す入力ペンはキャップと筆立て部とが取り外された時の図である。
【発明を実施するための形態】
【０００８】
以下、図面を参照しながら、本発明の実施例に係る入力ペンについて詳しく説明する。
【０００９】
本発明の入力ペンは、携帯電話、個人用携帯情報端末（ＰＤＡ）、ハンドヘルドパソコン等の携帯電子装置に適用する。
【００１０】
図１に示したように、前記入力ペン１００は、筆立て部１０と、ガイドロッド２０と、筆芯部３０と、前記筆芯部３０に被せて保護するキャップ４０と、位置決めピン５０と、スライドピン６０と、前記筆立て部１０の１つの開口端を塞ぐ蓋体７０と、を備える。前記ガイドロッド２０は前記位置決めピン５０を介して前記筆立て部１０内に固設される。前記筆芯部３０は前記スライドピン６０を介して前記ガイドロッド２０内にスライド可能に設置される。
【００１１】
前記筆立て部１０は、中空管であって、その軸方向に沿って収容空洞部１２が開設されている。前記収容空洞部１２は、四つの筒壁１４から囲んで形成される。相対して設置される２つの筒壁１４における前記筆立て部１０の一端の近傍には、それぞれ１つの固定穴１４２が同軸に開設されている。前記位置きめピン５０は、前記２つの固定穴１４２を貫いて前記筆立て部１０の一端に装着される。
【００１２】
前記ガイドロッド２０は、管状体であって、その軸方向に沿って収容空洞部２２が開設されている。前記収容空洞部２２は、四つの筒壁２４から囲んで形成される。相対して設置される２つの筒壁２４における前記ガイドロッド２０の一端の近傍には、それぞれ１つの固定穴２４２が同軸に開設されている。前記位置きめピン５０は、前記２つの固定穴２４２を介して前記ガイドロッド２０を貫く。
【００１３】
前記ガイドロッド２０における前記固定穴２４２を有する筒壁２４に直交する他の２つの筒壁２４には、それぞれ１つのスライド溝２４４が形成されている。前記スライド溝２４４の両端には、それぞれ１つの係止部２４６が設置されている。各係止部２４６は、前記スライド溝２４４に連通されるＵ字型溝２４６２と、前記スライド溝２４４の真正面に位置するガイド溝２４６４と、前記ガイド溝２４６４の両側に位置する２つの弾性壁２４６６と、前記２つの弾性壁２４６６の間に位置するロック穴２４６８と、を具備する。前記スライド溝２４４は縦長い貫通溝であって、前記スライドピン６０のスライドを実現するために用いられる。前記スライドピン６０の横断面は前記ロック穴２４６８の横断面とほぼ等しく、前記ガイド溝２４６４の幅は前記ロック穴２４６８の直径より小さいため、前記スライドピン６０が前記ガイド溝２４６４に導かれて前記ロック穴２４６８内に滑り込んだら、前記ロック穴２４６８内にしっかり保持される。前記スライドピン６０が前記ガイド溝２４６４に沿って前記ロック穴２４６８内にスライドする過程において、前記２つの弾性壁２４６６はそれぞれ前記Ｕ字型溝２４６２に向けて拡張して、前記スライドピン６０を順調に前記ロック穴２４６８内に滑り込ませる。即ち、前記Ｕ字型溝２４６２は前記２つの弾性壁２４６６の拡張のための空間を提供する。前記ガイドロッド２０は、摩擦に耐える弾性材料で製作される。前記弾性材料はポリフォルムアルデヒド（ＰＯＭ）であることが好ましい。
【００１４】
前記筆芯部３０は、主体部３２と、前記主体部３２の一端に固設されるタッチ部３４と、前記主体部３２と前記タッチ部３４との接続部位に凹設された係止溝３６と、を含む。前記主体部３２は略柱状体であって、その一端の相対する両側には、前記スライドピン６０を前記主体部３２に装着するために用いられる２つの固定穴３２２が開設されている。前記タッチ部３４はほぼ円錐形を呈し、携帯式電子装置のタッチスクリーンをタッチすることに用いられる。
【００１５】
前記キャップ４０の内表面に環状の突起部（図示せず）が凸設されている。前記突起部を前記筆芯部３０の係止溝３６内に係合することにより、前記キャップ４０を前記タッチ部３４に被せることができる。前記入力ペン１００を便利に携帯するために、前記キャップ４０の一端にストラップ４２を配置することができる。
【００１６】
前記蓋体７０は略平板状であって、その片側にスリーブ７２が設置されている。前記スリーブ７２の軸方向に沿って位置決め穴７２２が開設されている。前記位置決めピン５０を前記位置決め穴７２２を貫くことにより、前記蓋体７０を前記筆立て部１０に固設できる。
【００１７】
以下、図１及び図２を参照しながら、本発明の入力ペン１００の組立順序について詳細に説明する。
【００１８】
まず、前記筆芯部３０を前記ガイドロッド２０内に挿入するとともに、前記筆芯部３０の固定穴３２２と前記ガイドロッド２０のスライド溝２４４とを位置合せる。それから、前記スライドピン６０は、前記ガイドロッド２０の１つのスライド溝２４４、前記筆芯部３０の２つの固定穴３２２、前記ガイドロッド２０の他の１つのスライド溝２４４を順次に貫いて、前記スライドピン６０の両端をそれぞれ前記２つのスライド溝２４４内に収納する。
【００１９】
次に、前記ガイドロッド２０を前記筆立て部１０内に収納してから、前記蓋体７０のスリーブ７２を前記ガイドロッド２０内に収納して、前記ガイドロッド２０の固定穴２４２と、前記蓋体７０の位置決め穴７２２と、前記筆立て部１０の固定穴１４２とを位置合せる。前記位置きめピン５０は、前記筆立て部１０の１つの固定穴１４２、前記ガイドロッド２０の１つの固定穴２４２、前記スリーブ７２、前記ガイドロッド２０の他の固定穴２４２、前記筆立て部１０の他の固定穴１４２を順次に貫いて、前記位置きめピン５０の両端をそれぞれ前記２つの固定穴１４２に係止させる。このように、前記ガイドロッド２０と、前記筆立て部１０と、前記蓋体７０とを一体に組み立てる。
【００２０】
最後に、前記キャップ４０を前記筆芯部３０のタッチ部３４に被せるとともに、前記キャップ４０の突起部（図示せず）を前記筆芯部３０の係止溝３６内に係合して、前記入力ペン１００の組立を終了する。
【００２１】
図３及び図４に示したように、前記入力ペン１００を使用する場合、前記キャップ４０を引っ張って、前記筆芯部３０を連動して前記筆立て部１０から離れる方向へ移動させることにより、前記筆芯部３０のスライドピン６０は、前記ガイドロッド２０のロック穴２４６８内に係止されるまで前記ガイドロッド２０のスライド溝２４４に沿ってスライドする。続けて前記キャップ４０を引っ張ると、前記キャップ４０の突起部は前記筆芯部３０の係止溝３６から逸脱して、前記キャップ４０を取り外す。この際、前記入力ペン１００が使用できる。
【００２２】
前記Ｕ字型溝２４６２は、前記２つの弾性壁２４６６の拡張のための空間を提供して、前記スライドピン６０を前記ロック穴２４６８内に順調に滑り込ませる。従って、前記Ｕ字型溝２４６２をＬ字型に設置して、即ち前記Ｕ字型溝２４６２の片側を保留してもよく、前記弾性壁２４６６を前記ガイド溝２４６４の片側に設置してもよい。
【００２３】
本発明の入力ペン１００は、ただ筆立て部１０、ガイドロッド２０、筆芯部３０及びキャップ４０だけを備えるばかりでなく、各部材の構造が全て簡単であるため、前記入力ペン１００を製造し易い。また、前記入力ペン１００のガイドロッド２０は前記筆立て部１０内に固定されており、前記筆芯部３０は前記ガイドロッド２０の側壁２４に開設されたガイド溝２４４に沿って前記ガイドロッド２０内でスライドできるため、前記筆芯部３０は前記筆立て部１０に対して長く伸長できる。使用する場合、前記キャップ４０を引っ張ると、前記入力ペン１００が長く伸長されて使用でき、本発明の入力ペン１００は操作便利である。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２５】
１０  筆立て部
１２  収容空洞部
１４  側壁
２０  ガイドロッド
２２  収容空洞部
２４  側壁
３０  筆芯部  ３２  主体部
３４  タッチ部
３６  係止溝
４０  キャップ
４２  ストラップ
５０  位置決めピン
６０  スライドピン
７０  蓋体
７２  スリーブ
１００  入力ペン
１４２  固定穴
２４２  固定穴
２４４  スライド溝
２４６  係止部
３２２  固定穴
７２２  位置決め穴
２４６２  Ｕ字型溝
２４６４  ガイド溝
２４６６  弾性壁
２４６８  ロック穴
【図１】
2011127755.tif 000003
【図２】
2011127755.tif 000004
【図３】
2011127755.tif 000005
【図４】
2011127755.tif 000006